(57)【要約】【課題】映像ディスクを作成するには、専門的で複雑な作業が必要であり、簡単な作業で映像ディスクを作成することが困難である。【解決手段】画像ファイルが自身に紐付けされた付加情報を任意のタイミングでメモリなどに格納できるようにする。付加情報には、イベント名（入学式・運動会・音楽会など）などあらかじめ定義した情報が設定できる。それら画像ファイルを用いて映像ディスクを作成する際、その画像ファイルに紐付けされた付加情報を利用して、タイトルメニューや背景、ＢＧＭなど設定できるようにする。また、画像ファイルの撮影日時とその画像ファイルに紐付けされた付加情報をメモリ内に保存しておき、付加情報が紐付けされていない画像ファイルでも同一の撮影日時を持つ画像ファイルに紐付けされた付加情報を用いることで付加情報を持った画像ファイルと同様に扱えるようにする。【選択図】図１
2011087217.tif 000002
【特許請求の範囲】
【請求項１】
画像ファイルと付加情報とを関連付けて格納する情報格納手段と、
任意の画像ファイルに関連付けられた付加情報が前記情報格納手段で格納した情報内に存在するか否かを判定する第１の判定手段と、
前記第１の判定手段で付加情報が存在しない判定された場合、該画像ファイルの撮影日時を取得する撮影日時取得手段と、
前記撮影日時取得手段で取得した撮影日時と同じ撮影日時を持つ画像ファイルが、前記情報格納手段で格納した情報内にあるか否かを判定する第２の判定手段と、
前記第１の判定手段で付加情報が存在すると判定された場合には該付加情報を、前記第２の判定手段で同じ撮影日時を持つ画像ファイルがあると判定された場合には該画像ファイルに関連付けられた付加情報をそれぞれ取得する情報取得手段と、
前記情報取得手段で取得した付加情報を該画像ファイルに設定する設定手段と、
前記設定手段で設定された付加情報で良いか否かを決定する決定手段と、
前記決定手段で良くないと決定された場合には、前記設定手段で設定された付加情報を別の付加情報に変更する変更手段と
を備えることを特徴とする映像ディスク作成装置。
【請求項２】
該画像ファイルは、静止画及び／または動画ファイルであることを特徴とする、請求項１に記載の映像ディスク作成装置。
【請求項３】
該付加情報は、タイトル、背景画像、またはBGMであることを特徴とする、請求項１に記載の映像ディスク作成装置。
【請求項４】
画像ファイルと付加情報とを関連付けて格納する情報格納ステップと、
任意の画像ファイルに関連付けられた付加情報が前記情報格納ステップで格納した情報内に存在するか否かを判定する第１の判定ステップと、
前記第１の判定ステップで付加情報が存在しない判定された場合、該画像ファイルの撮影日時を取得する撮影日時取得ステップと、
前記撮影日時取得ステップで取得した撮影日時と同じ撮影日時を持つ画像ファイルが、前記情報格納ステップで格納した情報内にあるか否かを判定する第２の判定ステップと、
前記第１の判定ステップで付加情報が存在すると判定された場合には該付加情報を、前記第２の判定ステップで同じ撮影日時を持つ画像ファイルがあると判定された場合には該画像ファイルに関連付けられた付加情報をそれぞれ取得する情報取得ステップと、
前記情報取得ステップで取得した付加情報を該画像ファイルに設定する設定ステップと、前記設定ステップで設定された付加情報で良いか否かを決定する決定ステップと、
前記決定ステップで良くないと決定された場合には、前記設定ステップで設定された付加情報を別の付加情報に変更する変更ステップと
を有することを特徴とする映像ディスク作成方法。
【請求項５】
請求項４に記載の方法で、映像ディスクの作成を行うプログラム。
【発明の詳細な説明】
【技術分野】
【０００１】
本発明は、デジタルビデオカメラやデジタルスチルカメラで撮影した画像ファイルを用いた映像ディスクを作成する映像ディスク作成装置、方法、及びプログラムに関するものである。
【背景技術】
【０００２】
一般に、デジタルビデオカメラやデジタルスチルカメラで撮影した画像ファイルを用いた映像ディスクの作成には、オーサリングと呼ばれる大変複雑な作業を要する。
映像ディスクを再生する場合に最初に表示されるタイトルメニューや背景、ＢＧＭ、各コンテンツ間の切り替え効果、など技量を要する作業が必要となる。
【０００３】
しかし、デジタルビデオカメラやデジタルスチルカメラで使用される記憶媒体には容量制限があるため、保存手段として、パーソナルコンピュータに取り込む、もしくは、映像ディスクを作成、というように映像ディスクを作成する機会は増えている。
【０００４】
また、本発明に係わる先行技術として、複数の静止画からスライドショーを生成する際に、静止画の撮影日の年代に応じた楽曲データをＢＧＭとして選択することでスライドショーの作成を容易にで、映像ディスクが作成できるように構成されている（例えば、特許文献１参照。）。
【先行技術文献】
【特許文献】
【０００５】
【特許文献１】特開２００６−２３５９０５号公報
【発明の概要】
【発明が解決しようとする課題】
【０００６】
映像ディスクを作成するには、タイトルメニューや背景、ＢＧＭ、切り替え効果の設定など、専門的で複雑な作業が必要であり、簡単な作業で映像ディスクを作成することが困難であるという課題がある。さらに、タイトルメニューを作成しないなど単純な作業で映像ディスクを作成することも可能だが、その場合には、面白味のない映像ディスクしか作成することができないといった課題もある。
【課題を解決するための手段】
【０００７】
画像ファイルが自身に紐付けされた付加情報を任意のタイミングでメモリなどに格納できるようにする。付加情報には、イベント名（入学式・運動会・音楽会など）などあらかじめ定義した情報が設定できる。それら画像ファイルを用いて映像ディスクを作成する際、その画像ファイルに紐付けされた付加情報を利用して、タイトルメニューや背景、ＢＧＭなど設定できるようにする。また、画像ファイルの撮影日時とその画像ファイルに紐付けされた付加情報をメモリ内に保存しておき、付加情報が紐付けされていない画像ファイルでも同一の撮影日時を持つ画像ファイルに紐付けされた付加情報を用いることで付加情報を持った画像ファイルと同様に扱えるようにすることを最も主要な特徴とする。
【発明の効果】
【０００８】
画像ファイルに紐付けされた付加情報を利用することで、映像ディスク作成時に必要な操作を省くことができるようになり、映像ディスク作成を容易に行うことができる。
メモリ内に保存された付加情報と撮影日時を利用することで、紐付けされた付加情報のない画像ファイルでも紐付けされた付加情報のある画像ファイルと同等に扱うことができるようになり、映像ディスク作成を容易に行うことができる。
【図面の簡単な説明】
【０００９】
【図１】本発明の映像ディスク作成方法を実施する装置のブロック図
【図２】本発明の付加情報の例を表した図
【図３】付加情報の格納方法のフローチャート
【図４】映像ディスク作成方法のフローチャート
【発明を実施するための形態】
【００１０】
以下、本発明を実施するための最良の形態について、図面を参照しながら説明する。
【実施例】
【００１１】
図を用いて、本発明の実施の形態を説明する。図１は、本発明の実施形態に係る映像ディスク作成装置１００を示す図である。図１において、映像ディスク作成装置１００は、操作部１１０と情報処理装置１２０と表示部１４０と記録再生装置１３０とを備える。情報処理装置１２０は、情報格納手段１０１と第１の判定手段１０２と撮影日時取得手段１０３と第２の判定手段１０４と情報取得手段１０５と設定手段１０６と決定手段１０７と変更手段１０８と制御部１２１とメモリ１２２とを備える。なお、制御部１２１は、各手段１０１〜１０８を制御している。記録再生装置１３０は、制御部１３１と記憶媒体１３２とを備える。
図２は、本発明の実施形態に係る付加情報の例を示す図である。イベント毎にタイトルメニューや背景、ＢＧＭをあらかじめ定義しておく。操作部１１０を介して、記憶媒体１３２に記録されている画像ファイルのデータは制御部１３０を介して記録再生装置１３０から情報処理装置１２０に読み込まれ、情報格納手段１０１を介して画像ファイルのデータと図２に示すような付加情報を紐付けしてメモリ１２２に保存される。さらに、メモリ１２２に保存された画像ファイルのデータに対し、第１の判定手段を介して紐付けされた付加情報が保存されているか否かを判定し、付加情報が保存されていると判定された場合、情報取得手段１０５を介して、メモリ１２２に保存されている付加情報を取得する。付加情報が保存されていないと判定された場合、撮影日時取得手段１０３を介して、メモリ１２２に保存された画像ファイルの撮影日時を取得する。第２の判定手段１０４を介して、取得した撮影日時と同じ撮影日時を持つ画像ファイルがメモリ１２２に保存されているか否かを判定し、同じ撮影日時を持つ画像ファイルが保存されていると判定された場合、情報取得手段１０５を介して、メモリ１２２に保存されている付加情報を取得し、設定手段１０６を介して、取得した付加情報より映像ディスクのタイトルメニューや背景・ＢＧＭを設定する。設定手段１０６で映像ディスクのタイトルメニューや背景・ＢＧＭを設定した後、もしくは、第２の判定手段１０４で同じ撮影日時を持つ画像ファイルが保存されていないと判定された場合、決定手段１０７を介して、設定されているタイトルメニューや背景・ＢＧＭで良いか否かを決定し、良くないと決定された場合は、変更手段１０８を介して、設定されているタイトルメニューや背景・ＢＧＭを別のタイトルメニューや背景・ＢＧＭに変更する。映像ディスクのタイトルメニューや背景・ＢＧＭが設定された後、制御部１２１を介して、記録再生装置１３０に制御部１３１を介して記録媒体１３２で映像ディスクを作成する。例えば、情報処理装置１２０がパーソナルコンピュータの場合は、操作部１１０はマウスやキーボードである。また、記録再生装置１３０は、例えば、デジタルビデオカメラやデジタルスチルカメラや光学ドライブである。また、記憶媒体１３２は、例えば、ＳＤカードやＤＶＤメディアである。
図３、４は、本発明の実施形態に係る映像ディスク作成方法を示すフローチャートである。図３において、本発明の実施形態に係る映像ディスク作成方法は、付加情報の選択ステップＳ３０１と、付加情報格納ステップＳ３０２とを備える。付加情報の選択ステップＳ３０１で、図１に示すような記録再生装置１３０から読み込んだ画像ファイルに紐付けする図２に示すような付加情報を選択する。付加情報格納ステップＳ３０２で、付加情報の選択ステップＳ３０１で選択された付加情報を画像ファイルに紐付けして図１に示すようなメモリ１２２に格納する。
図４において、本発明の実施形態に係る映像ディスク作成方法は、付加情報保持判定ステップＳ４０１と、付加情報取得ステップＳ４０２と、映像データ設定ステップＳ４０３と、設定データ決定ステップＳ４０４と、映像データ変更ステップＳ４０５と、映像ディスク作成ステップＳ４０６と、撮影日時取得ステップＳ４０７と、撮影日時判定ステップＳ４０８とを備える。
第１の判定ステップＳ４０１で、画像ファイルに紐付けされた付加情報を保持しているか否かを判定する。第１の判定ステップＳ４０１で、付加情報を保持していると判定された場合、付加情報取得ステップＳ４０２で、画像ファイルに紐付けされた付加情報を取得する。第１の判定ステップＳ４０１で、付加情報を保持していないと判定された場合、画像ファイルの撮影日時取得ステップＳ４０７で、画像ファイルの撮影日時を取得する。画像ファイルの撮影日時取得ステップＳ４０７で、画像ファイルの撮影日時を取得した後、第２の判定ステップＳ４０８で、画像ファイルの撮影日時取得ステップＳ４０７で取得した撮影日時と同じ撮影日時の画像ファイルが図１で示すようなメモリ１３２に存在するか否かを判定する。
第２の判定ステップＳ４０８で、同じ撮影日時の画像ファイルが存在すると判定された場合、付加情報取得ステップＳ４０２で、画像ファイルに紐付けされた付加情報を取得する。付加情報取得ステップＳ４０２で付加情報を取得後、付加情報取得ステップＳ４０２で取得された付加情報に基づいて、映像データ設定ステップＳ４０３で、付加情報からタイトルメニューや背景・ＢＧＭといった映像ディスク用データを設定する。第２の判定ステップＳ４０８で、同じ撮影日時の画像ファイルが存在しないと判定された場合、もしくは、映像データ設定ステップＳ４０３で、付加情報からタイトルメニューや背景・ＢＧＭといった映像ディスク用データを設定した後、設定データ決定ステップＳ４０４で、設定されているデータで良いか否かを決定する。設定データ決定ステップＳ４０４で設定されているデータで良くないと決定された場合、映像データ変更Ｓ４０５で、ユーザーが任意のタイトルメニューや背景・ＢＧＭといった映像ディスク用データを設定する。設定データ決定ステップＳ４０４で設定されているデータで良いと決定された場合、もしくは、映像データ変更ステップＳ４０５で、ユーザーがタイトルメニューや背景・ＢＧＭといった映像ディスク用データを設定した後、映像ディスク作成ステップＳ４０６で映像ディスクを作成する。
このような構成の装置を用いることで、本発明の実施の形態を実施する装置が実現でき、映像ディスクの作成ができるようになる。
【産業上の利用可能性】
【００１２】
本発明の作成方法は、コンピュータのアプリケーション、ＤＶＤ／ＢＤレコーダー、デジタルビデオカメラ、デジタルスチルカメラなどでの利用が考えられる。
【符号の説明】
【００１３】
１００    映像ディスク作成装置
１０１    情報格納手段
１０２    第１の判定手段
１０３    撮影日時取得手段
１０４    第２の判定手段
１０５    情報取得手段
１０６    設定手段
１０７    決定手段
１０８    変更手段
１１０    操作部
１２０    情報処理装置
１２１    制御部
１２２    メモリ
１３０    記録再生装置
１３１    制御部
１３２    記録媒体
１４０    表示部
【図１】
2011087217.tif 000003
【図２】
2011087217.tif 000004
【図３】
2011087217.tif 000005
【図４】
2011087217.tif 000006